(57)【要約】【課題】  金員の収納、取り出しの容易な金封を提供する。【解決手段】  袋様に折り加工した外装紙（外袋）２に、環状の水引１４を巻装し、外装紙の上部の開口部に、上部にフラップ部６を有する内袋５を挿入する構造の金封であって、内袋５のフラップ部に粘着加工部７を設け、外装紙に未封の内袋を挿入し、内袋のフラップ部の粘着加工部で内袋の封と、外装紙と内袋との接着を行なうように構成される。【選択図】  図４
2009149334.tif 000002
【特許請求の範囲】
【請求項１】
袋様、又は底のない袋様に折り加工した外装紙に、環状の水引を巻装し、外装紙の上部の開口部に、上部にフラップ部を有する内袋を挿入する構造の金封であって、内袋のフラップ部に粘着加工部を設け、外装紙に未封の内袋を挿入し、内袋のフラップ部の粘着加工部で内袋の封と、外装紙と内袋との接着を行なうようにしたことを特徴とする金封。
【請求項２】
内袋のフラップ部において、粘着加工部と内袋の開口部との間にミシン目加工部を設け、ミシン目を開封することで、内袋の開封と、内袋と外装紙との分離を一括で行なうようにした請求項１記載の金封。
【請求項３】
粘着加工部が、糊付着層とこの層を被覆する剥離紙とからなる請求項１又は２記載の金封。
【発明の詳細な説明】
【技術分野】
【０００１】
本発明は、慶弔時に使用される水引のかかった金封、詳しくは、たとう折りした紙又は斜め折りした紙に結ばれた水引や水引飾りを巻装した、水引のかかった外装紙と、内袋とからなる金員の収納、取り出しの容易な金封に関するものである。
【背景技術】
【０００２】
従来から、わが国では慶弔時に金員を水引のかかった金封を用いて贈呈することが慣習となっている。慶事用には、表面の右上に熨斗を貼り付け、本体の左側に赤の縦線を施し、中央に紅白や金銀の水引を巻装したものを用い、祝儀袋とも呼ばれている。弔事用には、本体の左側に黒又は黄の縦線を施し、中央に黒白・黄白や双銀の水引を巻装したものを用い、不祝儀袋とも呼ばれている。
【０００３】
金封は展開状態では１枚の長方形の紙であり、たとう折りするものと、斜め折りするものに大きく分けられる。たとう折りは、一方の長辺側を内側に折り畳み、もう一方の長辺側を最初の折り畳み部に重なるように折り重ね、短辺側を端部が裏面で重なり合うようにそれぞれ裏面に折り畳む。その重ね合わせ部位（表面中央と一致）の外周に環状の水引を巻装して、たとう折り金封が得られる。
【０００４】
斜め折りは、横長方向に置いた長方形の紙の上角部を斜め下方に折り畳み、この対角部を斜め上方に折り畳み、さらに長手方向に四つ折りする。最後の折り返しの小端部がある方を裏面とし、表面中央の外周に環状の水引を巻装して、斜め折り金封が得られる。
【０００５】
慣わしとして、前述のたとう折り金封は、慶事用では上部折り畳み部が下部折り畳み部に重なるように、弔事用では下部折り畳み部が上部折り畳み部に重なるように重なるようにするのが礼儀とされている。また、たとう折りは東京折りと、斜め折りは大阪折りと呼ばれ、それぞれ伝統的に使用される地域が限定されるという側面がある。
【０００６】
このように、金封はわが国古来の伝統的なものであり、格式や礼儀を重んじられる。その反面、伝統にとらわれ構造の改良が進まなかったために、取り扱い（特に金員の出し入れ）が煩雑であるという問題がある。つまり、水引のかかった金封内に金員を収納あるいは取り出すためには、まず巻装してある水引を外し、折り畳んだ金封を展開しなければ鳴らず、収納については、その逆の手順で金封中央に金員を置いた後、折り畳み直し、再度水引を巻装し直さなければならないので、時間がかかることが問題である。しかし、水引を巻装し直すには、環状の水引の長さに余裕が無いために、かなり困難な作業であり、時間がかかると同時に、無理に巻装しようとすると、水引や金封（紙）が破損したりするという問題もある。
【０００７】
さらに、前述の煩雑さが、金封の中に金員の入れ忘れを誘発している面もあり、問題である。つまり、水引を脱着することを意識するあまり、肝心の金員を入れ忘れてしまい、本来の使用目的を果たせなくなってしまうという問題がある。
【０００８】
また、別の問題として、たとう折り、斜め折りともに、中の金員を１層の紙でのみ包む構造のため、薄い紙を用いた金封の場合、中の金員が表から透けてしまうということも指摘されている。
【０００９】
このような問題を解決するためには、いくつかの解決しなければならない課題がある。［０００６］の問題を解決するためには、水引を取り外さずに金封内の金員を出し入れできるようにすればよい。このため、従来から様々な金封が提案されている。従来、上部が開口した袋状に紙を折り畳み、水引を取り外さずに袋の上部開口部から金員を出し入れするようにした金封が提案されている（例えば、特許文献１参照）。また、たとう折りした金封の裏面に紙幣を出し入れするためのスリットを設け、そのスリットにフラップ加工した上部折り返し部を差し込むという構造の水引が提案されている（例えば、特許文献２参照）。
【００１０】
また、［０００７］の問題を解決するためには、金封外部から中に金員が収納されていることを確認できるようにすればよい。こちらも従来から様々な提案がなされている。すなわち、金封の表ないし裏面に確認用の窓を設けるという構造のものが提案されている（例えば、特許文献３、４参照）。
【特許文献１】特許第３１４９０２０号公報（第１頁、図６）
【特許文献２】特開２００５−１１２４３２号公報（第１頁、図１）
【特許文献３】特開２００２−９６８７４号公報（第１頁、図１）
【特許文献４】実開平７−９７６７号公報（第１頁、図１）
【００１１】
しかしながら、特許文献１、２については、たとう折りでの問題は解決できるとしても、斜め折りの扱いの煩雑さを解決するには至っていない。また特許文献２のスリットから金員をを挿入する構造については、スリットが小さく、その効果は大きくないという問題がある。［０００５］、［０００６］で前述のとおり、金封の使用については、古来より格式や礼儀が重んじられるものであり、従来より斜め折り金封を使用されてきた地域の消費者がその恩恵を受けられないという問題が新たに生じてくる。また、これらでは［０００７］の問題を解決することが出来ない。
【００１２】
また、特許文献３、４については、［０００７］の問題を解決できても［０００６］、［０００８］の問題を解決することは出来ない。
【発明の開示】
【発明が解決しようとする課題】
【００１３】
解決しようとする問題点は、外装紙への内袋の出し入れ、内袋への金員の収納、及び内袋からの金員の取り出しが容易に行えない点である。
【課題を解決するための手段】
【００１４】
本発明は、内袋のフラップ部（ふた部）に粘着加工を施し、外装紙（外袋）に、金員を入れた未封の内袋を挿入し、内袋のフラップ部の粘着加工部で内袋の封と、外装紙と内袋との接着を一括して同時に行うようにしたことを最も主要な特徴とする。
【００１５】
本発明の金封は、袋様、又は底のない袋様に折り加工した外装紙に、環状の水引を巻装し、外装紙の上部の開口部に、上部にフラップ部を有する内袋を挿入する構造の金封であって、内袋のフラップ部に粘着加工部を設け、外装紙に未封の内袋を挿入し、内袋のフラップ部の粘着加工部で内袋の封と、外装紙と内袋との接着を行うようにしたことを特徴としている。
【００１６】
上記の金封において、内袋のフラップ部において、粘着加工部と内袋の開口部との間にミシン目加工部を設け、ミシン目を開封することで、内袋の開封と、内袋と外装紙との分離を一括で行なうように構成される。
【００１７】
また、これらの金封において、粘着加工部が、糊付着層とこの層を被覆する剥離紙とからなるように構成される。
【発明の効果】
【００１８】
本発明は上記のように構成されているので、つぎのような効果を奏する。
（１）金員を収納した内袋の封と、外装紙と内袋との接着を一括して同封に行うことができ、かつ、内袋からの金員の取り出しをきわめて容易に行うことができる。
（２）たとう折り金封では、慶事用と弔事用とでは折り畳み部の重ね方が異なるが、最近の消費者は、この慣習を知らない場合が多いために、間違った慶弔の重ね合わせを行っているケースが見受けられる。本発明の金封では、前述の重ね合わせ部が存在しないため、消費者の混乱を回避することができる。
【発明を実施するための最良の形態】
【００１９】
内袋への金員の収納及び内袋からの金員の取り出しが容易に行い、かつ、複雑に重ね合わせ部を無くすという目的を、外装紙と内袋とを別々設け、内袋のフラップ部に粘着加工を施すことにより実現した。
【００２０】
以下、本発明の実施の形態について説明するが、本発明は下記の実施の形態に何ら限定されるものではなく、適宜変更して実施できるものである。
【００２１】
図１はたとう折りの外装紙（外袋）１の正面を示し、図２は斜め折りの外装紙（外袋）２の正面を示している。３、４は外袋開口部である。図３は内袋５の背面を示し、たとう折りの外装紙、斜め折りの外装紙に共通に用いられる。
図３において、６はフラップ部（ふた部）で、このフラップ部６に粘着加工部７、例えば糊付着層が設けられ、粘着加工部７と内袋開口部８との間に、ミシン目加工部１０、１１が、これらのミシン目加工部１０、１１の間に帯状部１２が形成されるように設けられている。また、粘着加工部７には剥離紙１３が被覆されて設けられている。
【００２２】
図４は、金員を収納した内袋５を、一例として、図２に示す斜め折りの外袋２内に挿入している状態の背面を示している。１４は水引である。このように、外袋２に水引１４を巻装した状態で内袋５を挿入する。
【００２３】
図５は、内袋５と外袋２とを接着している状態の背面を示している。すなわち、剥離紙１３をはがして、フラップ部６を粘着加工部７により外袋２に接着する。
【００２４】
ついで、ミシン目加工部１０、１１のミシン目を切りつつ帯状部１２を切り放すと、図６に示すような状態になり、フラップ部は上部フラップ６ａと下部フラップ６ｂとに分離される。
【００２５】
図７は、ミシン目を切って開封し、金員を出し易い状態にした背面を示している。すなわち、上部フラップ６ａを上方に折り返し、この上部フラップ６ａをつまんで、内袋５を上方に少し引き出し、内袋開口部８から金員を取り出す。
本実施形態では、斜め折りの外袋を用いる場合について説明したが、たとう折りの外袋についても、同様に実施することができる。また、ミシン目を２本設ける場合について説明したが、ミシン目を１本とすることも可能である。
【図面の簡単な説明】
【００２６】
【図１】本発明の金封に用いるたとう折りの外装紙（外袋）の正面を示す斜視図である。
【図２】本発明の金封に用いる斜め折りの外装紙（外袋）の正面を示す斜視図である。
【図３】本発明の金封に用いる内袋の背面を示す斜視図である。
【図４】内袋を外袋内に挿入している状態の背面を示す斜視図である。
【図５】内袋を外袋とを接着している状態の背面を示す斜視図である。
【図６】図５に示す状態において、ミシン目を切った状態の背面を示す斜視図である。
【図７】ミシン目を切って開封した状態の背面を示す斜視図である。
【符号の説明】
【００２７】
１、２  外装紙（外袋）
３、４  外袋開口部
５  内袋
６  フラップ部
６ａ  上部フラップ部
６ｂ  下部フラップ部
７  粘着加工部
８  内袋開口部
１０、１１  ミシン目加工部
１２  帯状部
１３  剥離紙
１４  水引
【図１】
2009149334.tif 000003
【図２】
2009149334.tif 000004
【図３】
2009149334.tif 000005
【図４】
2009149334.tif 000006
【図５】
2009149334.tif 000007
【図６】
2009149334.tif 000008
【図７】
2009149334.tif 000009